(57)【要約】  制動力の作用を制御するためのブレーキ制御弁装置は、保持弁および吐き出し弁（圧力コントローラ）と、主調整器弁（９）（中継弁）と、非常圧調整器（１５）および応荷重制御圧調整器（１６）とを備える電空式のブレーキ制御弁ブロック（８）を備える。弁ブロック（８）は、ブレーキ供給圧用の入口（２）と、ブレーキシリンダに空気圧接続された出口（３，４）とを有する。応荷重制御圧調整器（１６）から主調整器弁（９）に加えられるパイロット圧が、遠隔緩めソレノイド弁（１７）（制御チャンバの吐き出し電磁弁）によって制御される。遠隔緩めソレノイド弁（１７）は、通電が停止されたときに、ブレーキシリンダ圧を大気に逃がし、それにより、主調整器弁（９）を介して車輪制動力の解除を可能にするように適合させられている。
2021536401.tif 000002
【特許請求の範囲】
【請求項１】
レール車両において制動力の作用を制御するためのブレーキ制御弁装置であって、保持弁および吐き出し弁と、主調整器弁（９）と、非常圧調整器（１５）および応荷重制御圧調整器（１６）とを備える電空式のブレーキ制御弁ブロック（８）を備え、該弁ブロックが、ブレーキ供給圧用の入口（２）と、制動力を作用させるためのブレーキシリンダに空気圧接続された出口（３，４）とを有し、前記装置内で空気圧流を制御する１つまたは複数のソレノイド弁の作動を制御するために、電子制御ユニットが設けられ、
前記応荷重制御圧調整器（１６）から前記主調整器弁に加えられるパイロット圧が、ソレノイド（１７）によって制御され、該ソレノイド（１７）は、通電が停止されたときに、ブレーキシリンダ圧を大気に逃がすことによって前記制動力の解除を可能にすることを特徴とする、ブレーキ制御弁装置。
【請求項２】
前記ブレーキ制御弁装置において不具合が検出された場合には、前記電子制御ユニットが、前記ソレノイド（１７）を解除するための信号を提供することを特徴とする、請求項１記載のブレーキ制御弁装置。
【請求項３】
前記装置は、前記ソレノイド（１７）と前記主調整器弁（９）との間の空気圧経路に配置された複式逆止弁（１８）に接続される間接ブレーキ圧用の入口（７）をさらに備え、前記ソレノイドへの通電が停止されると、主調整器が、前記複式逆止弁を介して前記間接ブレーキ圧を受ける、請求項１または２記載のブレーキ弁装置。
【請求項４】
ダイアフラムを備える前記非常圧調整器（１５）に加えられる圧力が、非常ソレノイド弁（１９）によって制御され、該非常ソレノイド弁が非常制動時に開放されて、前記非常調整器が、公称では応荷重圧に等しい出力圧を提供することができ、前記主調整器弁（９）が、前記ブレーキシリンダのダイアフラムよりも大きいダイアフラムを有し、前記非常圧調整器のダイアフラムが、前記主調整器弁のダイアフラムよりも小さい、請求項１から３までのいずれか１項記載のブレーキ弁装置。
【請求項５】
非常バックアップチャンバのダイアフラムと前記非常調整器のダイアフラムの比が、実質的に１：１である、請求項４記載のブレーキ弁装置。
【発明の詳細な説明】
【技術分野】
【０００１】
本発明は、鉄道車両ブレーキシステム用のブレーキ制御弁装置に関し、詳細には、遠隔緩め機能および非常制動機能において使用するための吐き出し弁装置に関する。
【０００２】
欧州特許出願公開第１５８８９１３号明細書および英国特許出願公開第２３５９５９９号明細書に開示されているような公知のシステムでは、車両（現在のその荷重も含む）の最大減速を支援するのに必要なブレーキ力が利用可能になるように、かつそのブレーキ力がブレーキシリンダに加えられて、完全に空気圧式の非常ブレーキ停止が実現可能になるように、利用可能な空気圧ブレーキ力が設定される。常用制動中には、実際のブレーキ要求（たとえば、選択されたブレーキ段階）や、他のブレーキサブシステム（たとえば、電動ブレーキまたは路面ブレーキ）によって提供されるブレーキ力に応じて、加えられるブレーキ圧（すなわち、ブレーキシリンダ内の圧力）が、利用可能な圧力より低いレベルに調整される。このシステムの発展形が、国際公開第２０１５１８１７６４号に開示されている。
【０００３】
このシステムは、当該分野で実証済みであるが、ブレーキ作用中に生じることがあるブレーキパッドの摩擦のばらつきや、任意のボギー台車のブレーキを作動させて、ブレーキシステムの仕様から計算されたブレーキ力とは異なるブレーキ力を生じさせることがある何らかの機械的要因によって、影響を受ける。これらの機械的影響は、列車の過少制動と過剰制動との両方につながることがある。
【０００４】
本発明は、ブレーキ圧のより正確な制御を可能にして、その結果、限定しないが、特に非常制動中の過少制動または過剰制動の可能性を低下させるブレーキシステムを提供することを目的とする。
【０００５】
本発明によれば、請求項１の特徴によるブレーキ制御弁装置が提供される。
【０００６】
本発明の好ましい態様は、従属請求項に認めることができる。
【０００７】
この概念は、有利には、ブレーキ作用中に生じることがあるブレーキパッドの摩擦のばらつきや、任意のボギー台車のブレーキを作動させて、ブレーキシステムの仕様から計算されたブレーキ力とは異なるブレーキ力を生じさせることがある何らかの機械的要因から影響を受けずに、所与のブレーキ段階に対して期待される車両減速率を実現する。
【０００８】
ここで図面を参照しながら、本発明の例示的な実施形態を詳細に説明する。
【図面の簡単な説明】
【０００９】
【図１】ブレーキ制御弁装置の空気圧回路の概略図である。
【図２】遠隔緩め弁１７および関連する圧力コントローラの概略図である。
【００１０】
空気圧ブレーキ（非常ブレーキと常用ブレーキの両方）の減速制御を可能にするには、ブレーキ作用中にブレーキ力を増大させて、ブレーキパッドを含むブレーキシステムの機械的構成要素によって引き起こされるブレーキ力の低下をオフセットできるようにするために、利用可能なブレーキ力が、ブレーキ計算から導かれたレベルより高いレベルに設定される。制御アルゴリズムに応じて、ブレーキ力の低下は列車全体に生じることもあれば、区分全体に生じることもある。同様に、ブレーキシステムの仕組みによって引き起こされる過剰制動に対抗するために、減速制御にはブレーキ力の低下ひいては加えられるブレーキ圧の低下が必要な場合もある。
【００１１】
図１は、マニホールド１を備えるブレーキ弁装置の空気圧回路の概略図であり、このマニホールド１は、主ブレーキ供給圧２を受け、ブレーキシリンダ３，４への空気圧接続部を提供する。マニホールドは、選択的な外部荷重計量接続部５および分配器弁７からの更なる空気圧接続部を提供する。標準的な使用における荷重計量の入力は、１つまたは２つの補助変換器によって測定される。
【００１２】
空気圧弁ユニット８は、ブレーキ供給圧２から入口圧を受ける主中継調整器９を収容している。主中継調整器９の出口は、構成モジュール１４を介して制御弁１２，１３のそれぞれの入口１０，１１に接続されており、これについては以下でより詳細に説明する。
【００１３】
主中継調整器９は、空車質量のバックアップ設定レベルを提供する非常調整器１５およびクラッシュ調整器１６からの圧力によってパイロット操作される。これらの調整器は、パイロット圧レベルを制限する。複式逆止弁１８および非常調整器の出力が、主中継調整器９をパイロット操作する。空車質量のバックアップ設定は、応荷重制御圧（ＶＬＣＰ: variable load control pressure）の圧力が空車質量設定より小さい場合に、非常時において利用可能な最小圧である。クラッシュ調整器の設定レベルは、ＶＬＣＰ制御弁に対して利用可能な最大圧である。非常調整器１５は、非常ブレーキループソレノイド１９を介して、主供給圧２と主中継調整器９のパイロット入力とに接続される。
【００１４】
クラッシュ調整器１６は、主ブレーキ供給圧２から空気圧入力を受け、出口は入口および吐き出し弁装置に接続され、この吐き出し弁装置は、主中継調整器９の出口に接続される遠隔緩め弁１７に対する実際の圧力を制御する。したがって、クラッシュ調整器は、遠隔緩め弁１７を介して主中継調整器９に接続される。選択的な荷重計量接続部には、遠隔緩め弁１７の入口に向かう経路が設けられる。複式逆止弁１８が、遠隔緩め弁１７と主中継調整器９との間の経路に設けられ、この複式逆止弁は、間接ブレーキ入力７にも空気圧接続されている。
【００１５】
各制御弁１２，１３は、それぞれのソレノイドによって制御される入口および吐き出し膜弁と、吐き出し膜間で圧力を等化するように構成された更なるソレノイドとを備える。制御弁１２および１３の出口は、それぞれのブレーキシリンダに接続される。膜弁およびソレノイドを備えるリンク弁が、それぞれの制御弁１２，１３の出口間に空気圧接続部を提供する。
【００１６】
上述したように、主中継調整器９の出口は、構成モジュール１４に接続される。構成モジュール１４には、中継調整器９からそれぞれの入口膜の入口までの空気圧経路２０，２１に、それぞれのチョークが設けられる。入口膜の出口は、構成モジュール１４のそれぞれのチョーク２２，２３を介して吐き出し膜に空気圧接続される。吐き出し膜は、構成モジュールを介してブレーキシリンダを真空にする。
【００１７】
使用に際し、ブレーキの作用時間と吐き出し時間がチョークのサイズによって特定され、このチョークのサイズは、標準的なまたは所望の作用時間および緩め時間をブレーキシリンダの容積とは無関係に達成できるようにする。これにより、予測可能なブレーキシリンダの圧力制御および車輪滑走防護性能が確保される。
【００１８】
本発明では、減速制御機能を提供するために、（マイクロコントローラによる）ブレーキシリンダ圧の調整が、非常作用中に継続される。しかし、非常停止中に加えられるブレーキシリンダ圧が最小レベルを下回らないこと、および非常ブレーキ停止中に電力損失が生じた場合に、公称非常ブレーキ圧（車両の現在の荷重に対して必要な非常減速を提供するものとしてブレーキ計算から特定された圧力）がブレーキシリンダに加えられることを、ブレーキコントローラが確保しなくてはならない。
【００１９】
さらに、通常はＳＩＬ２であるマイクロコントローラによりブレーキシリンダ圧が調整されている間に、非常制動に関して理想的にはＳＩＬ３であるブレーキ弁装置が最小レベルの非常ブレーキ力を提供することを確保するために、ブレーキシリンダ圧は、電子機器または電子論理デバイス（ＦＰＧＡ）によって独立して監視され、この電子機器または電子論理デバイス（ＦＰＧＡ）は、公称非常ブレーキ圧の予め設定されたパーセンテージをブレーキシリンダ圧が下回る条件を検出することになる。
【００２０】
同様にこの監視システムは、加えられるブレーキ圧が、予め定義された上限を超えないことを確保することもでき、これにより過剰制動防護が実現される。過少制動に対する防護は、非常ブレーキ作用中にのみ有効である。そうでなければ、ブレーキ解除および低いブレーキ段階が、常用ブレーキモードにおいて不可能になる。過剰制動に対する防護は、非常ブレーキモードと常用ブレーキモードとの両方において有効である。
【００２１】
被制御非常ブレーキモードでは、過小制動を防止するために、ブレーキシリンダを監視する電子機器または論理デバイスが、マイクロコントローラによるブレーキシリンダ圧の調整を無効にし（ひいては、ヘッドエンドデバイスによる制御も無効にし）、標準的な既知の非常ブレーキ作用と類似した方法で、公称非常圧レベルをブレーキシリンダに加える。
【００２２】
常用ブレーキ動作では、ブレーキシリンダを監視する電子機器または論理デバイスが、（過剰圧力を検出すると）ブレーキシリンダ圧を放出するように動作する。これは、以下で説明する緩め機能との両立が可能である。
【００２３】
ＷＳＰは、（ユニットに通電されていれば）非常ブレーキ作用中に動作を維持するので、被制御非常ブレーキが有効な間に、ＷＳＰ動作を行うことが可能である。非常ブレーキ停止中に、車輪滑走を制御し、利用可能な粘着力を最適化するために、ＷＳＰ制御作用は、被制御非常ブレーキ向けに規定された最小圧レベルよりブレーキシリンダ圧を低下させてよい。過少圧力が検出された場合に、機能がすぐに途切れるのを防止するために、監視電子機器が提供されてよい。この圧力低下が許容可能なとき、ＷＳＰシステムによってブレーキシリンダ圧を制御することにより、監視電子機器／論理デバイスが過少圧力トリップ（under-pressure trip）を強制することが防止される。監視電子機器／論理デバイスによって使用されるＷＳＰ作用は、弁の作動時点で検出され、それによりＷＳＰ制御による圧力の何らかの変調（保持または吐き出し）により、過少圧力トリップが無効になる。ＷＳＰ動作自体は、信頼性の高い（ＳＩＬ３）電子機器（または電子論理デバイス）によって監視されて、ＷＳＰ制御によるブレーキシリンダ圧の低下が長引くことが防止される。これらの電子機器の動作は、低圧を維持するためのＷＳＰ動作により弁が継続的に駆動可能になるわけではないことを確保し、こうして監視電子機器／論理デバイスが、過少圧力状態に対して恒久的に作用できなくなるわけではないことを確保する。
【００２４】
図２は、遠隔緩め弁１７および関連する圧力コントローラの概略図を示す。遠隔緩め弁は、以下のポート接続部を有する。ポート１：圧力コントローラ、ポート２：中継弁制御チャンバ、ポート３：大気への接続。
【００２５】
遠隔緩め弁１７への通電が停止されると、ポート２がポート３に接続され、ポート１が遮断され、遠隔緩め弁１７に通電されると、ポート１がポート２に接続され、ポート３が遮断される。図１の主調整器弁９に等しい空気圧中継弁は、制御入力と出力の比が１：１である。
【００２６】
弁装置は、以下の機能を提供するかまたは可能にする。
【００２７】
ブレーキ制御弁への電力供給の損失が生じた場合には、常用ブレーキが作用していれば、それを解除すべきであり、更なる作用は防止されるべきである。これは、遠隔緩め弁（ソレノイド）１７に通電されて、弁のポート２からポート１を介して制御チャンバがＶＬＣＰ圧力コントローラに接続されているときに利用可能な電力を有する、正常な走行条件において達成される。中継弁は、常用ブレーキが制御するＶＬＣＰに等しい出力を提供する。
【００２８】
電力の損失が生じた場合には、遠隔緩め弁１７は通電が断たれ、一時停止して、弁のポート２からポート３を介して、制御チャンバ圧が大気へ逃がされる。ここで中継弁は、出力圧を逃がしてゼロにし、ここで任意のブレーキシリンダの圧力は、常用ブレーキ制御膜を通って逆向きに供給されることになる。なぜなら、供給圧が除去された場合には、これらの常用ブレーキ制御膜が圧力を保持していないからである。したがって、ブレーキ解除が達成され、保持弁の膜に対する供給圧が除去されて、その後の常用ブレーキ作用が防止される。
【００２９】
被制御非常制動が安全エンベロープを超える場合には、ＦＰＧＡが被制御非常制動をオーバライドし、空気圧のみによって制御される荷重計量非常ブレーキをかけることになる。これは、圧力調整（すなわち、保持弁を開放して吐き出し弁を閉鎖する）を膜弁によって無効にし、遠隔緩め電磁弁１７への通電を停止することによって、達成される。これにより、制御チャンバの圧力が、弁のポート２からポート３を介して大気中に逃がされる。制御された非常ブレーキ操作のために、この圧力は、非常制動機能を有効にするために、荷重計量レベルの増強値に設定されている。増強値の例示的な値は、１２５％である。
【００３０】
制御チャンバのダイアフラム有効領域は、制御チャンバ圧と出力圧との間で１：１の比を実現する。制御チャンバが吐き出されない場合には、ブレーキシリンダに向かう出力圧は、必要な荷重計量レベルの１２５％になり、すなわち２５％の過剰ブレーキになる。
【００３１】
非常ブレーキ作用の最初に、被制御非常制動が有効になり、通電されたときに閉鎖される非常調整器が一時停止して、非常バックアップチャンバに圧力を加えることが可能になる。圧力レベルは、非常調整器によって設定される。非常調整器は、公称では(nominally)応荷重圧ＶＬＣＰに等しくかつ空車質量のバックアップ設定よりも低くない出力圧を提供するように設計される。
【００３２】
非常バックアップチャンバのダイアフラム有効領域は、非常バックアップチャンバ圧と出力圧との間で０．８：１の比を実現し、この０．８は、荷重計量レベルの増強値の逆数である。しかし、ダイアフラム有効領域は、制御チャンバで１：１の比を有する。被制御非常ブレーキ中には、制御チャンバの圧力と非常バックアップチャンバの圧力は等しい。したがって、ダイアフラムパイル（diaphragm pile）に下向きの力が加えられることはない。
【００３３】
ＦＰＧＡが、被制御非常ブレーキをオーバライドし、制御チャンバからのＶＬＣＰ圧を逃がすことを決定した場合には、ここで非常バックアップチャンバのダイアフラムの下側において、平衡状態を保つ力が除去される。
【００３４】
制御チャンバの吐き出しソレノイドへの通電が停止すると、ＶＬＣＰ圧は閉じ込められる。これにより、非常バックアップチャンバの圧力を維持している非常調整器のための基準圧が、公称荷重計量レベルの１２５％であることが確保される。
【００３５】
制御チャンバ圧が逃がされると、非常チャンバダイアフラムから加えられる力が、ここでダイアフラムパイルを介して有効になる。この力は、制御ダイアフラムの下側に作用しているブレーキシリンダ圧によって平衡になる。非常バックアップチャンバのダイアフラムとブレーキシリンダのダイアフラムの比が０．８：１．０であるので、これにより、ブレーキシリンダの空気圧中継弁の出力圧が補正されて公称荷重計量値になり、すなわち１．２５×０．８＝１になる。
【００３６】
ブレーキ制御弁内で「ブレーキ引き摺り」などの不具合が検出された場合には、常用ブレーキが作用していれば、その解除が有効にされ、更なる作用が防止される。この機能は、ＦＰＧＡに対して外部から直接デジタル入力を行うことによって達成される。ＦＰＧＡは、この信号を受信すると、弁１７の駆動を妨げ、弁１７は通電が停止される。
【００３７】
弁１７への通電が停止されると、制御チャンバが吐き出される。ここで中継弁は、出力圧を逃がしてゼロにし、ここで任意のブレーキシリンダの圧力は、常用ブレーキ制御膜を通って逆向きに供給されることになる。なぜなら、供給圧が除去された場合には、常用ブレーキ制御膜が圧力を保持できないからである。したがって、ブレーキ解除が達成され、膜に対する供給圧が除去されて、その後の常用ブレーキ作用が防止される。
【００３８】
更なる動作モードにより、列車内の直接ブレーキの故障した車両または電力供給問題を有する車両を、救助機関車または復旧列車によって移動することが可能になる。
【００３９】
制御チャンバ弁１７への通電が停止されると、制御チャンバが吐き出される。ここで中継弁は、出力圧を逃がしてゼロにし、ここで任意のブレーキシリンダの圧力は、常用ブレーキ制御膜を通って逆向きに供給され、ブレーキ解除が達成される。
【００４０】
第１の間接ブレーキ圧を加えることにより、ここで複式逆止弁１８が切り替わって、電磁弁（ポート２からポート３）を介して排気するためのルートが閉鎖され、間接ブレーキ入力ポートが制御チャンバに接続される。
【００４１】
間接的なブレーキ制御動作中にブレーキ解除を達成するために、非常ブレーキループ（ＥＢＬ）がソレノイド１９に電力を供給し、高にならなくてはならない。ＥＢＬが低になると、結果的にブレーキシリンダに入る出力は、制御チャンバと非常バックアップチャンバとの２つのチャンバのうちどちらが最も高い力を提供するかに依存することになる。
【図１】
2021536401.tif 000003
【図２】
2021536401.tif 000004
【国際調査報告】
2021536401.tif 000005
2021536401.tif 000006
2021536401.tif 000007